(57)【要約】  電子チケット記憶装置、電子チケット確認システム及び方法が開示されている。電子チケット確認方法は、上記電子チケットの基本情報と予め設定された電子チケット付加情報を事前に関連付けるステップと、最初にチケット確認する時に、上記電子チケットの基本情報に基づいて上記電子チケット付加情報を修正するステップと、上記電子チケットを再チケット確認する時に、修正された電子チケット付加情報を検出することで、上記電子チケットに対してチケット確認処理を行うステップと、を含む。【選択図】図３
2013535748.tif 000002
【特許請求の範囲】
【請求項１】
電子チケットチケット確認方法であって、
上記電子チケットの基本情報と予め設定された電子チケット付加情報とを事前に関連付けるステップと、
最初にチケット確認する時に、上記電子チケットの基本情報に基づいて上記電子チケット付加情報を修正するステップと、
その後上記電子チケットをチケット確認する度に、修正された電子チケット付加情報を検出することで上記電子チケットに対してチケット確認処理を行うステップと、を含むことを特徴とするチケット確認方法。
【請求項２】
上記電子チケットの基本情報基づいて上記電子チケット付加情報を修正するステップは、
第1のチケット確認場所におけるチケット確認端末は上記電子チケットが新チケットであると判断し、上記電子チケット付加情報に上記電子チケットが新チケットであることを示すためのフラグを保存するように、上記電子チケット付加情報を相応に修正することを含むことを特徴とする請求項1に記載のチケット確認方法。
【請求項３】
修正された電子チケット付加情報を検出することで上記電子チケットに対してチケット確認処理を行う上記ステップは、
第2のチケット確認場所におけるチケット確認端末は、上記電子チケット付加情報に保存された上記フラグによって、上記電子チケットが未使用の新チケットであることを特定することと、
第2のチケット確認場所におけるチケット確認端末は、上記基本情報によって、上記電子チケットが上記第2のチケット確認場所と関連するシーンにて使用を許可されるデータを取得し、上記第2のチケット確認場所で再チケット確認する時に、上記電子チケットが上記第2チケット確認場所と関連するシーンにて使用許可されないように、上記電子チケット付加情報における上記シーンと関連するデータを修正することを含むことを特徴とする請求項2に記載のチケット確認方法。
【請求項４】
第1チケット確認場所におけるチケット確認端末が上記電子チケットの基本情報に基づいて上記電子チケット付加情報を修正するステップは、
第1チケット確認場所におけるチケット確認端末は、上記電子チケット付加情報によって上記電子チケットが未使用の新チケットであると判断することと、
当該チケット確認端末は、上記基本情報によって上記電子チケットを使用可能なシーンデータを取得し、上記電子チケット付加情報に上記電子チケットを使用可能なシーンデータを保存するように、取得されたシーンデータに応じて上記電子チケット付加情報を修正することを含むことを特徴とする請求項2に記載のチケット確認方法。
【請求項５】
修正された電子チケット付加情報を検出することで上記電子チケットに対してチケット確認処理を行う上記ステップは、
第2のチケット確認場所におけるチケット確認端末は、上記電子チケット付加情報に保存された上記第2のチケット確認場所のシーンと関連するデータを取得し、取得されたデータを無効データに修正することを含むことを特徴とする請求項4に記載のチケット確認方法。
【請求項６】
上記電子チケットの基本情報と予め設定された電子チケット付加情報とを事前に関連付ける上記ステップは、
上記電子チケットの基本情報と上記電子チケット付加情報とを関連付けて電子チケット記憶装置に記憶することを含むことを特徴とする請求項１に記載のチケット確認方法。
【請求項７】
修正された電子チケット付加情報を検出することで、上記電子チケットに対してチケット確認処理を行う上記ステップは、
第2のチケット確認場所におけるチケット確認端末は上記電子チケット記憶装置に電子チケットプロバイダ番号を含むコマンドを送信することと、
上記電子チケット記憶装置は電子チケットプロバイダ番号に基づいて、上記電子チケットプロバイダ番号とマッチングする電子チケットを検出することと、
上記電子チケット記憶装置はマッチングする電子チケットの情報に基づいて、当該電子チケットと関連する電子チケット付加情報を特定することと、
第2のチケット確認場所におけるチケット確認端末は特定された電子チケット付加情報に基づいて、上記電子チケットが未使用の新チケットであると判断することと、
第2のチケット確認場所におけるチケット確認端末は上記電子チケットを使用可能なシーンデータを取得し、取得されたシーンデータに応じて上記電子チケット付加情報を修正することを含むことを特徴とする請求項6に記載のチケット確認方法。
【請求項８】
上記電子チケット付加情報は、上記電子チケットが新チケットであるかを特定するためのフラグ、及び少なくとも一つのシーンにて用いられるデータを含み、
上記フラグによって上記電子チケットが新チケットであると判断すると、上記チケット確認端末が上記の少なくとも一つのシーンのデータを検証しないことを特徴とする請求項1に記載のチケット確認方法。
【請求項９】
複数の電子チケット付加情報が予め記憶され、上記電子チケットの基本情報と上記の複数の電子チケット付加情報とが関連付け記憶される電子チケット記憶装置と、
異なるチケット確認位置に設置される複数のチケット確認端末であって、上記の複数のチケット確認端末うちの一つのチケット確認端末が上記電子チケットの情報を取得して、取得された情報に基づいて、上記電子チケット付加情報を修正し、上記の複数のチケット確認端末うちの他のチケット確認端末が修正された電子チケット付加情報を検出することで上記電子チケットに対してチケット確認処理を行うようにする複数のチケット確認端末と、を備えることを特徴とする電子チケット確認システム。
【請求項１０】
上記電子チケット付加情報は上記電子チケットが未使用の新チケットであるかを判断するためのフラグを含み、上記電子チケットは少なくとも一つのシーンにて用いられることを示すためのデータを含み、
上記の複数のチケット確認端末うちの上記の一つのチケット確認端末は、上記フラグによって上記電子チケットが新チケットであると判断すると、上記電子チケットにおける上記の少なくとも一つのシーンを示すためのデータを取得し、相応に上記電子チケット付加情報における上記の少なくとも一つのシーンを示すためのデータを有効と設定することを特徴とする請求項9に記載の電子チケット確認システム。
【請求項１１】
上記の他のチケット確認端末は上記電子チケットをチケット確認する時に、上記電子チケット付加情報における上記の少なくとも一つのシーンを示すためのデータを取得し、チケット確認操作が終了した後、少なくとも一つのシーンのデータにおける当該チケット確認端末と関連するシーンデータを無効と設定することを特徴とする請求項10に記載の電子チケット確認システム。
【請求項１２】
上記の複数のチケット確認端末のうち、第1の位置にあるチケット確認端末が上記電子チケットの基本情報を取得し、上記電子チケット付加情報に上記の少なくとも一つのシーンを示すためのデータが含まれるように、取得された情報に基づいて上記電子チケット付加情報を修正し、
第2の位置にあるチケット確認端末が上記電子チケットをチケット確認する時に、上記チケット確認端末が上記電子チケット付加情報に含まれる上記の少なくとも一つのシーンを示すためのデータによって、上記電子チケットに対してチケット確認処理を行うことを特徴とする請求項9に記載の電子チケット確認システム。
【請求項１３】
上記電子チケットの付加情報は、更に上書きを許可するか否かを示し、フラグビットを含む、上記電子チケットと電子チケット付加情報とが関連つけられることを許可することを示すために用いられる記録であることを特徴とする請求項9に記載の電子チケット確認システム。
【請求項１４】
上記電子チケット生成装置にチケット書き込み要求を提出するためのリーダライタを更に含み、
上記電子チケット生成装置が上記のチケット書き込み要求に基づいて電子チケットを生成した後、上記リーダライタが上記の生成された電子チケットを上記電子チケット記憶装置に書き込むことを特徴とする請求項9〜13のいずれか１項に記載の電子チケット確認システム。
【請求項１５】
少なくとも一つの電子チケット付加情報を記憶するための第1の記憶ユニットと、
電子チケットの基本情報を記憶するための第2の記憶ユニットを含み、
上記少なくとも一つの電子チケット付加情報は、電子チケットの基本情報と関連付けられ、上記電子チケットの使用可能を示すためのシーンデータ、及び上記電子チケットが未使用の新チケットであるか否かを示すためのフラグビットを含むことを特徴とする電子チケット記憶装置。
【請求項１６】
上記電子チケット付加情報は、
更に、上記電子チケットと電子チケット付加情報とが関連付けられることを許可するか否かを示すためのフラグビットを含むことを特徴とする請求項15に記載の電子チケット記憶装置。
【請求項１７】
上記電子チケットの使用可能を示すためのシーンデータを含む電子チケットの基本情報を生成することと、
上記電子チケットが未使用の新チケットであるか否かを示すためのフラグビット、及び上記電子チケットの使用可能を示すためのシーンデータを含む電子チケットの付加情報を生成することを含み、
上記付加情報と上記基本情報が関連付けられ、最初にチケット確認する時に、上記フラグビットによって上記電子チケットが未使用の新チケットであると特定し、上記基本情報におけるシーンデータによって上記付加情報におけるシーンデータを特定し、再度チケット確認する時に、上記付加情報におけるシーンデータを検出して書き換えることによって、上記電子チケットの使用状況を特定することを特徴とする電子チケット生成方法。
【発明の詳細な説明】
【技術分野】
【０００１】
本発明は電子チケット記憶装置、 電子チケット確認システム及び電子チケット確認方法に関する。本願は 2010年 08月 02日に中国専利局に提出された出願番号が 201010242528.1であって、発明の名称が「電子チケット記憶装置、電子チケット確認システム及び方法」である中国特許出願の優先権を主張し、本願でその内容全体を援用するものとする。
【背景技術】
【０００２】
映画やスポッツ試合等の各種の商業公演を現場で観賞する時、或いは観光スポットを観覧する時に、通常、紙又は電子形式のチケットを呈示する必要がある。チケット確認作業とは、チケットを持っている人のチケットの適正性をチェック検証して適正チケットを持っている人を通行させ、不適正チケットを持っている人を通行させずに相応の措置で対処することである。伝統的な各種の紙チケットは、紙の浪費を招くだけでなく、複製・偽造することが容易である。また、紙製チケットはチケット確認作業量が多く、チケット確認漏れ又はチケット確認ミスなどが発生する恐れがある。
【０００３】
現在、紙の浪費問題を解決し、チケットの安全性を向上させ、チケットの転売を防止するために既に各種の電子チケットが提案されている。
【発明の概要】
【発明が解決しようとする課題】
【０００４】
しかしながら、発明者は本発明の実現過程において、従来技術には少なくとも下記の欠陥が存在することを発見した。即ち、入るときと出るときの両方ともチケット確認が必要であり、及び、例えば、観光スポット内部の各パビリオンのそれぞれでもチケット確認が必要であるなどのような特殊な要求に対して、従来の電子チケットでは柔軟に対応することができないということである。
【０００５】
本発明は、従来技術において電子チケットがチケット確認に柔軟に対応できない問題を解決するために、電子チケット記憶装置、電子チケット確認システム及び電子チケット確認方法を提供する。
【課題を解決するための手段】
【０００６】
本発明は電子チケットチケット確認方法を開示し、上記方法は、
最初にチケット確認する時に、上記電子チケットの基本情報に基づいて、上記電子チケット付加情報を修正するステップと、
再び上記電子チケットをチケット確認する時に、修正された電子チケット付加情報を検出することで上記電子チケットに対してチケット確認処理を行うステップを含む。
【０００７】
一方、本発明は電子チケット確認システムを開示し、上記システムは、
電子チケットを生成するための電子チケット生成装置と、
複数の電子チケット付加情報が予め記憶され、上記電子チケットの基本情報と上記の複数の電子チケット付加情報が関連付け記憶される電子チケット記憶装置と、
異なるチケット確認位置にある複数のチケット確認端末であって、上記の複数のチケット確認端末のうちの一つのチケット確認端末が上記電子チケットの情報を取得し、取得された情報に基づいて、上記電子チケット付加情報を修正し、上記の複数のチケット確認端末のうちの他のチケット確認端末が修正された電子チケット付加情報を検出することで、上記電子チケットに対してチケット確認処理を行えるようにする複数のチケット確認端末を備える。
【０００８】
また、一方、本発明は電子チケット記憶装置を開示し、上記記憶装置は、
少なくとも一つの電子チケット付加情報を記憶するための第1の記憶ユニットと、
電子チケットの基本情報を記憶するための第2の記憶ユニットを備え、
上記少なくとも一つの電子チケット付加情報は、電子チケットの基本情報と関連しており、上記電子チケットの使用可能を示すためのシーンデータ、及び上記電子チケットが未使用の新チケットであるか否かを示すためのフラグビットを含む。
【０００９】
更に、本発明は電子チケットを生成するための方法が開示され、上記方法は、
上記電子チケットの使用可能を示すためのシーンデータを含む電子チケットの基本情報を生成することと、
上記電子チケットが未使用の新チケットであるか否かを示すためのフラグビット、及び上記電子チケットの使用可能を示すためのシーンデータを含む上記電子チケットの付加情報を生成することを含み、
ここで、上記付加情報と上記基本情報が関連付けられ、最初にチケット確認する時に、上記フラグビットによって上記電子チケットが未使用の新チケットであると特定し、上記基本情報におけるシーンデータ基づいて、上記付加情報におけるシーンデータを特定し、再びチケット確認する時に、上記付加情報におけるシーンデータを検出して書き換えることによって、上記電子チケットの使用状況を特定する。
【００１０】
本発明の実施例が提供した電子チケット記憶装置、電子チケット確認システム及び電子チケット確認方法は、電子チケットの基本情報と予め設定された電子チケット付加情報とを関連つけることによって、最初にチケット確認する時に、基本情報に基づいてチケット確認して電子チケットの付加情報を修正し、その後チケット確認するごとに、修正された添付情報に基づいてチケット確認処理を行い、チケット確認及び後続のチケット確認後の電子チケットの付加情報の修正を含むことができることで、電子チケットを複数のシーンのチケット確認要求に適用することができ、電子チケットを複数の場所のチケット確認に柔軟に対応させることができ、出るときと入るときにもチケット確認が必要である、及び観光スポット内部の各パビリオンのいずれでもチケット確認が必要であるなどの特殊な要求について、柔軟な対応と適用可能性を実現した。
【図面の簡単な説明】
【００１１】
【図１】本発明の一実施形態に係る電子チケット確認システムを示す。
【図２】本発明の一実施形態に係る電子チケットがチケットの追加情報記録に関連する模式図である。
【図３】本発明の一実施形態によるチケット確認端末がチケット確認取引を行う処理フローチャートである。
【図４】図 3に示すステップS201のサブステップである。
【図５】本発明のその他の一実施形態によるチケット確認端末がチケット確認取引を行う処理フローチャートである。
【発明を実施するための形態】
【００１２】
以下、図面を参照して、本発明の例示的な実施形態を詳述する。
【００１３】
図1は本発明の一実施形態に係る電子チケット確認システム1000を示す。図に示すように、システム 1000は、電子チケット生成装置100と、リーダライタ200と、電子チケット記憶装置300と、少なくとも一つのチケット確認端末400とを含む。明確にするために、図1にチケット確認端末400を一つのみ示している。
【００１４】
電子チケット生成装置100はリーダライタ200によって電子チケット記憶装置300に電子チケット情報を書き込むものである。具体的には、リーダライタ200が、まず、電子チケット生成装置にチケットの書き込み要求を提出する。電子チケット生成装置100は、チケットの書き込み要求に基づいて電子チケットを生成した後、リーダライタ200によって電子チケット記憶装置300に電子チケットを書き込む。電子チケット生成装置100の生成した電子チケットは電子チケット自身の情報、例えば、電子チケットのプロバイダの番号、電子チケットの類型、時間等を含むんでいてもよい。特に、生成された電子チケットは複数回のチケット確認用の情報を含んでもよい。これは従来技術であるので、その説明を省略する。
【００１５】
例えば、電子チケット記憶装置300は各種の形態のスマートカード、例えば、電波による個体識別 ( Radio Frequency Identification、 RFID )-加入者識別モジュール（ Subscriber Identity Module、SIM )カードやシングルワイヤプロトコル（ Single Wire Protocol、SWP ) -SIMカード、集積回路（Integrated Circuit、 IC )カード等であってもよい。電子チケット記憶装置300は各種の接触式や非接触式（各種の作動周波数）のスマートカード、または、その他の類型の記憶装置であってもよい。電子チケット記憶装置300に電子チケット付加情報が保存されている。例えば、付加情報は、下表1に示すようなファイル形式を有することができる。
【表１】
2013535748.tif 000003
【００１６】
なお、表1における各具体的な数値の何れも模式的なものであり、例えば、ファイル識別子（SFI )は他の値を取ってもよく、ファイル類型は非固定長の記録ファイルであってもよく、または記録の長さはその他の値を取ってもよい。
【００１７】
表1における記録番号欄の内容「1〜20」は、当該ファイルが20件の記録を有してもよいことを示し、各記録は表2に示すような内容を備えてもよい。
【表２】
2013535748.tif 000004
【００１８】
なお、表2における各一行は一つの記録を示し、「上書き」と「有効」の欄が表1における一番目のバイトを示し、フィールド「上書き」がチケット確認端末によって書き込まれ、例えば、一枚の電子チケットを使い終わった時に、チケット確認端末400が当該電子チケットの上書き許可フラグを1に設定する。
【００１９】
以下、フィールド「有効」は、「新チケットか否か」を示すフラグとも称され、その関連する電子チケットが新チケットであるか否かを示す。例えば、0x0は新チケットを示し、0x1は旧チケットを示すように設定してもよい。その値が0x0を取る時には、チケット確認端末400はこの記録を解析しない。
【００２０】
「チケットプロバイダが自ら定義したデータ」は第2-64バイトの内容を示す。「チケットプロバイダが自ら定義したデータ」は、各種の適用シーンに基づいて定義してもよい。例えば、チケット確認端末400の番号、チケット確認時間等である。 また、「チケットプロバイダが自ら定義したデータ」は少なくとも一つのシーンを記録するためのデータを含む。公園Aが観光スポットXとYを含むことを例にすると、「チケットプロバイダが自ら定義したデータ」には観光スポットAとBを定義するためのバイトが含まれていてもよく、例えば、「チケットプロバイダが自ら定義したデータ」におけるある4つのバイトで観光スポットAを定義し、その他の4つのバイトで観光スポットBを定義することを定めておく。観光スポットAを定義するためのバイトが「0000」である場合、当該情報に関連する電子チケットが観光スポットAに使えることを示し、「1111」である場合、当該情報に関連する電子チケットは観光スポットAには使えないことを示す。観光スポットBの場合については、これに類似してもよい。
【００２１】
一実施形態において、電子チケットの基本情報と電子チケット付加情報はそれぞれ、電子チケット記憶装置300における第1記憶ユニットと第2記憶ユニットに記憶されている。電子チケット生成装置100が生成した電子チケットを電子チケット記憶装置300に保存する時に、電子チケット記憶装置300に保存された電子チケット追加情報記録ファイルから、生成された電子チケットと関連つけるための記録を探す必要がある。図2に示すように、電子チケットTを例として、電子チケット記憶装置300が電子チケット追加情報記録ファイルから、１番目（順列番号1の記録から探してもよく、予め設定された規則に従って捜索してもよい）の上書き許可の記録（図2における順列番号Mの記録）を探して、電子チケットTと当該記録との関係を構築し、電子チケット追加情報記録ファイルにおける「有効」フラグを1(即ち、後続の情報が無効であり、チケット確認端末が「チケットプロバイダが自ら定義したデータ」を解析する必要がない）に設定する。例えば、一実施形態において、電子チケットTの記憶スペースに関連記録の順列番号、例えば、上記順列番号Mを保存することができると同時に、電子チケット追加情報記録ファイルにおける記録番号Mの「有効」フラグを「1」に設定し、場合により、当該記録におけるチケット情報内容を空に設定してもよい。電子チケット追加情報記録ファイルにおいて上書き許可の記録が存在しない場合、「チケットの記憶スペースがいっぱいである」という失敗情報が返信され、今回のチケット書込み操作は失敗する。
【００２２】
電子チケット記憶装置300に電子チケットを保存した後、リーダライタ200によって電子チケット生成装置100にチケットの書き込み成功という応答を返信する。他の一実施形態において、電子チケット生成装置100と電子チケット記憶装置300の間で直接に通信してもよい、この場合、リーダライタ200を省略してもよい。例えば、ショートメッセージによってチケットの書き込み操作を行う時に、リーダライタ200を省略してもいい。
【００２３】
例えば、少なくとも一つのチケット確認端末400は、接触式・非接触式（各種の作業周波数）のチケット端末を備え、同じまたは異なるチケット確認位置にあってもよい。電子チケット生成装置100、リーダライタ200、電子チケット記憶装置300及びチケット確認端末400の間で有線・接触式、 ワイヤレス・非接触式の方式で実現できる。
【００２４】
最初にチケット確認する時に、例えば、入園ゲートでチケット確認する場合、入園ゲートにあるチケット確認装置400は電子チケット付加情報を読み取り、その中の「有効」フラグビットによって、電子チケットが未使用の新チケットであるか否かを判断する。電子チケットが未使用の新チケットであると判定すると、電子チケット付加情報における「チケットプロバイダが自ら定義したデータ」に対する解析を終止し、「有効」フラグ（即ち、新チケットであるかを示すフラグ）を新チケットでないことを示す情報、例えば0に修正する。その他の観光スポットにあるチケット確認装置400、例えばA観光スポットにあるチケット確認装置が電子チケットをチケット確認する時に、まず「有効」フラグビットを読み取り、「チケットプロバイダが自ら定義したデータ」に対して解析又は修正を行う必要があることを特定し、そして、当該チケット確認装置はまず電子チケットから当該チケットが例えばA観光スポットの観覧を許すことを了解し、後はチケット付加情報における「チケットプロバイダが自ら定義したデータ」を読み取ることによって、当該チケットが入園済み、観光スポットAを観覧していないことを了解すると、ユーザーによるA観光スポットの観覧を許可し、チケット確認過程において「チケットプロバイダが自ら定義したデータ」を修正し、A観光スポットを観覧したかを示すデータビットを1に設定して、その他の情報をそのまま保持し、これらの情報を記憶装置300に書き戻す。
【００２５】
選択肢として、入園ゲートにあるチケット確認装置400が電子チケットが未使用の新チケットであると判定すると、電子チケットからその使用許可のシーンデータを取得し、その後、電子チケット付加情報に相応なデータが含まれていることを電子チケット記憶装置300に示す。例えば、電子チケットは入園に加えて、園内の観光スポットAの観覧にも使用可能である場合、入園ゲートにあるチケット確認装置が電子チケット付加情報における観光スポットA用のフラグを1、即ち、有効に修正する。そして、例えば、観光スポットAにあるチケット確認端末が当該電子チケットをチケット確認する時に、電子チケット付加情報における観光スポットA用のフラグによって、当該電子チケットを観光スポットAに使える、即ち、チケット確認通過と判定し、次に観光スポットA用のフラグを「無効」に修正する。
【００２６】
次に、図3を参照して、本発明の一実施形態によるチケット確認端末がチケット確認取引を行うフロー処理2000を説明する。
【００２７】
ステップS201において、チケット確認端末400は電子チケットの情報を取得して、取得された情報に基づいて電子チケット記憶装置300に電子チケット付加情報の修正を示す。具体的には、第1のチケット確認場所（例えば入園ゲート）にあるチケット確認端末は電子チケット記憶装置300に記憶された電子チケット付加情報によって、電子チケットが未使用の新チケットであると判定すると、取得された電子チケットの基本データによって当該電子チケットを観光スポットAとBに使えることを了解すると、当該チケット確認端末が電子チケット付加情報における「チケットプロバイダが自ら定義したデータ」における観光スポットAとBを定義するためのデータビットを0に設定し、「新チケットであるか否か」を示すフラグを0にマークする。次に、図 4を参照して、ステップS201の詳細処理をさらに詳述する。
【００２８】
ステップS2011において、例えば、入園ゲートにあるチケット確認端末は電子チケット記憶装置に少なくとも電子チケットプロバイダ番号を含むコマンドを送信する。当該コマンドは例えば既存のチケット確認初期化（INITIALIZE FOR CHECK )指令である。ステップS2012において、電子チケット記憶装置300は電子チケットプロバイダ番号に基づいて、電子チケットプロバイダ番号とマッチングする電子チケットを探し出し、ステップS2013において、マッチングする電子チケット情報に基づいて、当該電子チケットに関連する電子チケット付加情報を特定する。
【００２９】
ステップS2014において、チケット確認端末は、特定された電子チケット付加情報における新チケットであるかを示すフラグによって、電子チケットが未使用の新チケットであるかを判断する。ステップS2015において、当該チケット確認端末は電子チケットの基本情報によって、当該電子チケットが使用可能なシーンデータを取得し、次に、ステップS2016において、チケット確認端末は取得したシーンデータに応じて電子チケット付加情報を修正する。 例えば、電子チケット付加情報におけるA、B観光スポットを観覧したか否かを示すフラグを0に設定し、入園済みフラグを1に設定し、「新チケット」であるかを示すフラグを0に設定し、これらの情報を電子記憶装置300に書き戻す。
【００３０】
ステップS202において、その後電子チケットをチケット確認する度に、チケット確認端末は修正された電子チケット付加情報によって、電子チケットの付加情報に基づいてチケット確認すること及び電子チケットの付加情報を修正することを含む電子チケットに対してチケット確認処理を行う。具体的には、観光スポットAにあるチケット確認端末がチケット確認する時に、まず当該電子チケットと関連する電子チケット付加情報における「新チケットであるか否か」を示すフラグが0であると検出した場合、電子チケットの基本情報を読み取ることによって、当該チケットが観光スポットAの観覧を許可することを了解する。次に、当該チケット確認端末はチケット付加情報における「チケットプロバイダが自ら定義したデータ」を読み取ることによって、当該チケットが入園済みで、観光スポットAを観覧していないことを了解すると、ユーザーによる観光スポットAの観覧を許可し、チケット確認過程において「チケットプロバイダが自ら定義したデータ」における観光スポットAを観覧したか否かを示すフラグを1に設定して、その他の情報をそのまま保持し、これらの情報を記憶装置300に書き戻す。
【００３１】
次に、図 5を参照して、本発明のその他の実施形態のチケット確認端末がチケット確認を行うフロー処理3000を説明する。
【００３２】
ステップS301において、チケット確認端末400は電子チケット記憶装置300に電子チケット記憶装置300が初期化操作を行うことを示すための指令を送信する。例えば、一実施形態において、チケット確認端末400により電子チケット記憶装置300 に送信された初期化指令は国際標準化機構 (International Organization for Standardization、ISO ) /国際電気標準会議(International Electrotechnical Commission、IEC ) 7816-4 データ形式に合致するINITIALIZE FOR CHECK指令でもよく、電子チケットのプロバイダ番号を含んでいてもよい。INITIALIZE FOR CHECK指令が従来技術に属するので、その説明を省略する。
【００３３】
ステップS302において、電子チケット記憶装置300は、受信された初期化指令に含まれる電子チケットプロバイダ番号に基づいて、その電子チケットの記憶スペースにおいてマッチングする電子チケットを探し、電子チケット記憶装置300は、マッチングするアイテムを検出しなければ、ステップS303において、チケット確認端末400にエラー情報を返信し、マッチングするアイテムを検出すれば、ステップS303において、チケット確認端末400にマッチングする電子チケット情報、例えば、電子チケット順列番号及びそれとマッチングする電子チケットに関連する情報の記録番号Mを返信する。一実施形態では、ステップS303においてチケット確認端末400に返信された情報は、電子チケットに対して安全性チェックを行うための情報、例えば、その他の電子チケット情報タグ、その他の電子チケット情報の長さ、その他の電子チケット情報（タグ-長さ-値（Tag-Length-Value、TLV )形式）等を含んでもよい。
【００３４】
ステップS304において、チケット確認端末400は電子チケット記憶装置300により返信されたマッチングする電子チケットの関連記録番号Mを取得し、ステップS305において、電子チケット追加情報記録ファイルから記録番号Mの関連記録を読み取るように、電子チケット記憶装置300に記録読み取り(READ RECORD)指令を送信する。
【００３５】
ステップS306において、電子チケット記憶装置300はREAD RECORD指令に基づいて、電子チケット追加情報記録ファイルから記録番号Mの記録を探し、ステップS307において、チケット確認端末400に当該記録におけるフィールド「有効」及び「チケット付加情報」の内容を返信する。場合により、チケット確認端末400は、直接に電子チケット記憶装置300から相応するフィールド「有効」及び「チケット付加情報」の内容を読み取ることができる。
【００３６】
次に、ステップS308において、チケット確認端末400は、フィールド「有効」（「新チケットであるか否か」）の内容に基づいて特定された当該電子チケットTの付加情報が有効であるか否かを特定し、無効である場合、当該付加情報の内容を解析する必要がない。特定結果は当該電子チケットTの付加情報が有効である場合、電子チケット付加情報を処理し、書きこもうとする新チケット付加情報を構成する。例えば、チケット確認端末がチケットの基本情報を読み取ることによって、当該チケットがA観光スポットの観覧を許可することを了解し、更にチケット付加情報におけるフィールド「有効」及び「チケットプロバイダが定義したデータ」を読み取ることによって、当該チケットが入園済み、観光スポットAを観覧していないことを了解すると、ユーザーによるA観光スポットの観覧を許可し、チケット確認過程において、A観光スポットを観覧したかを示すフラグを1に設定する(この点について後述する）ことを準備する。選択的には、チケット確認端末400は、まず電子チケット情報を検定して安全性検証を行い、検証に合格した場合、電子チケット付加情報を処理してもよい。電子チケットに対する安全性検証は従来技術に属するので、その説明を省略する。
【００３７】
そして、ステップS309において、電子チケット記憶装置300に電子チケット付加情報を更新するためのデータ指令を送信する。次に、電子チケット記憶装置300は、受信されたデータ指令に基づいて、チケット付加情報ファイルにおける関連番号が例えばMである記録に対して書き換え又は更新を行う。下記のステップS310〜S316において詳述する。
【００３８】
ステップS310において、受信された更新指令においてSFI情報が存在すると、電子チケット記憶装置300は、現在の応用において、コマンドの中のショートファイル識別子（Short File Identifier、SFI)値と同じファイルが存在するか否かをチェックし、指令における記録番号に基づいてチケット付加情報専用ファイルに当該記録が存在するか否かをチェックし、指令におけるデータフィールドの長さがチケット付加情報専用ファイルにおける相応する記録の長さよりも長いか否かをチェックし、チェックされた結果に基づいて、ステップS311においてチケット確認端末に応答情報を返信する。具体的には、ステップS310において、チェックされた結果がコマンドにおけるSFI値と同じファイルがない、即ち、送信されたSFIが間違いである場合、ステップS311において「ファイル未検出」というメッセージを返すが、その他のデータを返さない。ステップS310においてチェックされた結果はチケット付加情報専用ファイルにおいて当該記録がない場合に、ステップS311において、状態コードの「記録未検出」というメッセージを返すが、その他のデータを返さない。ステップS310においてチェックされた結果が、更新指令におけるデータフィールド長さがチケット付加情報専用ファイルにおける相応な記録の長さよりも長い場合に、ステップS311において、状態コードの「ファイル記憶スペース不足」というメッセージを返すが、その他のデータを返さない。
【００３９】
ステップS312において、チケット確認端末400は応答情報に基づいて判断を行い、エラーが生じると、ユーザーに提示してフローを終了する。
【００４０】
ステップS313において、チケット確認端末400は電子チケット記憶装置300に、チケット付加情報専用ファイルにおける関連記録を書き換えるための書き換え指令を送信する。次に、ステップS314において、ステップS313において受信された書き換え指令を応答して、ステップS310において一時的に記憶された情報によって、チケット付加情報専用ファイルにおける相応する記録におけるデータを更新する。一実施形態において、電子チケット記憶装置300は、まず電子チケット情報に対して安全性チェック処理を行い、チェックに合格すると、ステップS310において一時的に記憶された情報によってチケット付加情報専用ファイルにおける相応な記録のデータを更新し、そして、ステップS315において、電子チケット記憶装置300がチケット確認端末400に電子チケット順列番号及び安全性チェック情報を含む応答情報を返信し、チケット確認端末400がステップS316において、返信された応答情報に基づいて電子チケットのシリアルナンバーと安全性チェック情報を保存してもよい。なお、当業者はステップS315とS316 が選択可能なステップであることを理解すべきである。
【００４１】
以上は本発明の例示的な実施形態であり、当業者は上記実施形態によって、本発明の請求書に限定された範囲内において、上記の各実施形態を修正することができる。
【図１】
2013535748.tif 000005
【図２】
2013535748.tif 000006
【図３】
2013535748.tif 000007
【図４】
2013535748.tif 000008
【図５】
2013535748.tif 000009
【国際調査報告】
2013535748.tif 000010
2013535748.tif 000011
2013535748.tif 000012
2013535748.tif 000013
2013535748.tif 000014
2013535748.tif 000015